(57)【要約】      （修正有）【課題】優れた結合安定性と堅固性を実現可能なブラケット、および、それを用いるスライドレールアッセンブリを提供する。【解決手段】取り付けブラケットは、側板４２、端板４４、少なくとも一個の取り付け部品５０、ガード部品４６、弾性部品４８を備える。端板４４は、側板４２におおよそ垂直に対応する。少なくとも一個の取り付け部品５０は、端板４４に連接する。ガード部品４６は、側板４２に移動可能に接続し、かつ、ガード部品４６は、第一部分７０、及び第一部分７０に連接する中間部分７４を備え、中間部分７４は、第一端部７６を備える。弾性部品４８は、ガード部品４６に付勢し、これによりガード部品４６の第一端部７６は、端板４４に対応する。【選択図】図２
0003187606.tif 000002
【実用新案登録請求の範囲】
【請求項１】
側板、端板、少なくとも一個の取り付け部品、ガード部品、および弾性部品を備えるブラケットであって、
前記端板は、前記側板に垂直に設けられており、
前記取り付け部品は、前記端板に連接されており、
前記ガード部品は、前記側板に移動可能に接続されており、第一部分及び前記第一部分に連接されている中間部分を有し、
前記中間部分は、第一端部を有し、
前記弾性部品は、前記ガード部品に付勢しており、
前記ガード部品の前記第一端部は、前記端板に対応していることを特徴とするブラケット。
【請求項２】
前記側板は、面部を有し、
前記ガード部品は、前記中間部分に連接されている第二部分を有し、
前記第一部分および前記第二部分のうち少なくとも一方は、前記側板の前記面部に対応している延伸セクションを有し、
前記延伸セクションは、前記弾性部品の弾力に対応し、前記側板の前記面部に接触していることを特徴とする請求項１に記載のブラケット。
【請求項３】
前記側板の前記面部は、接触接続台を有し、
前記接触接続台と前記面部とは、収容空間を形成し、
前記弾性部品は、一部が前記収容空間内に収容されていることを特徴とする請求項２に記載のブラケット。
【請求項４】
前記接触接続台は、接触接続部を有し、
前記弾性部品は、湾曲部を有し、前記湾曲部が前記接触接続台の前記接触接続部に接触していることを特徴とする請求項３に記載のブラケット。
【請求項５】
前記接触接続台は、接触接続部を有し、
前記弾性部品は、両端に湾曲部が形成されており、
二つの前記湾曲部の一方は、前記接触接続台の前記接触接続部に接触していることを特徴とする請求項３に記載のブラケット。
【請求項６】
前記ガード部品の前記中間部分は、中間部分に対応する辺壁に対して垂直に延伸することを特徴とする請求項１に記載の取り付けブラケット。
【請求項７】
前記側板は、前記端板に隣接する第一窓口を有し、
前記ガード部品の前記第一端部は、一部が前記第一窓口内に進入可能であることを特徴とする請求項１に記載のブラケット。
【請求項８】
第一レール、第二レール、第三レール、第一ブラケット、および第二ブラケットを備え、
前記第一レールは、第一端、及び当該第一端と対向する第二端を有し、
前記第二レールは、スライド可能に前記第一レールに連接されており、
前記第三レールは、スライド可能に前記第二レールに連接されており、
前記第一ブラケットは、隣接する前記第一レールの前記第一端に連接されており、
前記第二ブラケットは、隣接する前記第一レールの前記第二端に連接されており、
前記第一ブラケットおよび前記第二ブラケットのうち少なくとも一方が、側板、端板、少なくとも一個の取り付け部品、ガード部品、および弾性部品を有し、
前記端板は、前記側板に垂直に設けられており、
前記取り付け部品は、前記端板に連接されており、
前記ガード部品は、前記側板に移動可能に接続されており、第一部分、第二部分、及び前記第一部分と前記第二部分とを連接し第一端部が形成されている中間部分を有し、
前記弾性部品は、前記ガード部品に付勢しており、
前記ガード部品の前記第一端部は、前記端板に対応していることを特徴とするスライドレールアッセンブリ。
【請求項９】
前記側板は、面部を有し、
前記ガード部品の第一部分および第二部分うちの少なくとも一方は、前記側板の前記面部に対応する延伸セクションを有し、
前記延伸セクションは、前記弾性部品の弾力に対応し、前記側板の前記面部に接触していることを特徴とする請求項８に記載のスライドレールアッセンブリ。
【請求項１０】
前記側板の前記面部は、接触接続台を有し、
前記接触接続台と前記面部とは、収容空間を形成し、
前記弾性部品は、一部が前記収容空間内に収容されており、
前記接触接続台は、接触接続部を有し、
前記弾性部品は、湾曲部を有し、前記湾曲部が前記接触接続台の前記接触接続部に接触していることを特徴とする請求項９に記載のスライドレールアッセンブリ。
【請求項１１】
前記弾性部品は、湾曲部及び分岐部を有し、
前記ガード部品の中間部分は、第二端部を有し、
前記湾曲部は、前記側板上に接触しており、
前記分岐部は、前記ガード部品の前記第二端部に接触していることを特徴とする請求項８に記載のスライドレールアッセンブリ。
【請求項１２】
少なくとも二個の支持柱を有し、各前記支持柱に複数の孔が形成されているラックに取り付けられるスライドレールアッセンブリであって、
第一レール、第二レール、第三レール、第一ブラケット、および第二ブラケットを備え、
前記第一レールは、第一端、及び前記第一端に対向する第二端を有し、
前記第二レールは、スライド可能に前記第一レールに設けられており、
前記第三レールは、スライド可能に前記第二レールに設けられておりし、
前記第一ブラケットは、隣接する前記第一レールの前記第一端に連接されており、前記ラックの一方の前記支持柱に取り付けられており、
前記第二ブラケットは、隣接する前記第一レールの前記第二端に連接されており、前記ラックの他方の支持柱に取り付けられており、
前記第一ブラケットおよび前記第二ブラケットのうち少なくとも一方が、側板、端板、少なくとも一個の取り付け部品、ガード部品、弾性部品を有し、
前記端板は、前記側板に垂直に設けられており、
前記取り付け部品は、前記端板に連接されており、
前記ガード部品は、第一部分、第二部分、及び前記第一部分と前記第二部分とを連接し第一端部が形成されている中間部分を有し、
前記弾性部品は、前記ガード部品に付勢しており、
前記ガード部品の前記第一端部は、前記端板に対応し、
前記取り付け部品は、前記ラックの前記支持柱の孔に取り付けられており、
前記支持柱は、前記取り付け部品と前記ガード部品との間に位置することを特徴とするスライドレールアッセンブリ。
【考案の詳細な説明】
【技術分野】
【０００１】
本考案は、ブラケットに関し、詳しくはスライドレールアッセンブリに用いられるブラケットに関する。
【背景技術】
【０００２】
特許文献１に開示する発明は、ブラケットを備える。
ブラケットは、側板、端板、ベース、一対の取り付け部品を備える。ベースは、弾性部品、操作棒を備える。弾性部品は、ガード面を備える。取り付け部品は、ブラケットの端板上に取り付けられ、ベースは、側板に連接される。弾性部品は、ベースに固定され、操作棒は、ベースを通過して、弾性部品に接触している。
取り付け部品がラック（ｒａｃｋ）の支持柱の孔に設置され定位されると、弾性部品が、変形し、ラックを通過して、ラックの上に接触する。こうして、取り付け部品と共に閉鎖空間を形成する。
【先行技術文献】
【特許文献】
【０００３】
【特許文献１】米国特許番号第ＵＳ７，２８１，６９４Ｂ２号明細書
【考案の概要】
【考案が解決しようとする課題】
【０００４】
特許文献１に開示するように、ラックを止めるのは一種の弾性金属片である。しかし、このような弾性金属片は、強度が明らかに不充分で、ブラケットをラックに取り付ける際の安定性と堅固性に影響を及ぼすおそれがある。
【０００５】
本考案は、上述の問題に鑑みてなされたものであり、その目的は、優れた結合安定性と堅固性を有するブラケット、および、それを用いるスライドレールアッセンブリを提供することにある。
【課題を解決するための手段】
【０００６】
本考案は、側板、端板、少なくとも一個の取り付け部品、ガード部品、および弾性部品を備えるブラケットである。端板は、側板に垂直に設けられている。取り付け部品は、端板に接続し、ガード部品は、側板に移動可能に接続されており、第一部分、及び第一部分に接続されている中間部分を有する。中間部分は、第一端部を有する。弾性部品は、ガード部品に付勢する。ガード部品の第一端部は、端板に対応している。
【０００７】
側板は、面部を有する。ガード部品は、中間部分に接続されている第二部分を有する。第一部分および第二部分のうち少なくとも一方は、側板の面部に対応している延伸セクションを有する。延伸セクションは、弾性部品の弾力に対応し、側板の面部に接触している。
【０００８】
側板の面部は、接触接続台を有する。接触接続台と面部とは、収容空間を形成する。弾性部品は、一部が収容空間内に収容されている。
【０００９】
接触接続台は、接触接続部を有する。弾性部品は、湾曲部を有する。湾曲部は接触接続台の接触接続部に接触する。
【００１０】
接触接続台は、接触接続部を有する。弾性部品の両端には、それぞれ、湾曲部が形成されている。湾曲部の一方は、接触接続台の接触接続部に接触している。
【００１１】
ガード部品の中間部分は、中間部分に対応する辺壁に対して垂直に延伸する。
【００１２】
側板は、端板に隣接する第一窓口を有する。ガード部品の第一端部は、一部が第一窓口内に入ることが可能である。
【００１３】
スライドレールアッセンブリは、第一レール、第二レール、第三レール、第一ブラケット、および第二ブラケットを備える。第一レールは、第一端及び第一端に相対する第二端を有する。第二レールは、スライド可能に第一レールに連接されている。第三レールは、スライド可能に第二レールに連接されている。第一ブラケットは、隣接する第一レールの第一端に連接されており、第二ブラケットは、隣接する第一レールの第二端に連接されている。第一ブラケットおよび第二ブラケットのうちの少なくとも一方は、側板、端板、少なくとも一個の取り付け部品、およびガード部品を有する。端板は、側板に垂直に設けられている。取り付け部品は、端板に連接されている。ガード部品は、側板に移動可能に接続されており、第一部分、第二部分、及び第一部分と第二部分とを連接する中間部分を有する。中間部分は、第一端部を有する。弾性部品は、ガード部品に付勢する。ガード部品の第一端部は、端板に対応する。
【００１４】
側板は、面部を有する。ガード部品の第一部分および第二部分のうちの少なくとも一方は、側板の面部に対応する延伸セクションを有する。延伸セクションは、弾性部品の弾力に対応し、側板の面部に接触する。
【００１５】
側板の面部は、接触接続台を有する。接触接続台と面部とは、収容空間を形成する。弾性部品の一部は、収容空間内に収容される。接触接続台は、接触接続部を有する。弾性部品は、湾曲部を有し、接触接続台の接触接続部に接触する。
【００１６】
弾性部品は、湾曲部及び分岐部を有する。ガード部品の中間部分は、第二端部を有する。湾曲部は、接触接続台の接触接続部に接触する。分岐部は、ガード部品の第二端部に接触する。
【００１７】
スライドレールアッセンブリは、ラックに取り付け、ラックは、少なくとも二個の二支持柱を備える。各支持柱は、複数の孔を有する。スライドレールアッセンブリは、第一レール、第二レール、第三レール、第一ブラケット、および第二ブラケットを備える。第一レールは、第一端、及び第一端に相対する第二端を有する。第二レールは、スライド可能に第一レールに連接されている。第三レールは、スライド可能に第二レールに連接されている。第一ブラケットは、隣接する第一レールの第一端に連接されている。第一ブラケットは、ラックの一方の支持柱に取り付けられている。第二ブラケットは、隣接する第一レールの第二端に連接されている。第二ブラケットは、ラックの他方の支持柱に取り付けられている。第一ブラケットと第二ブラケットのうちの少なくとも一方は、側板、端板、少なくとも一個の取り付け部品、およびガード部品を有する。端板は、側板に垂直設けられている。取り付け部品は、端板に連接されている。ガード部品は、側板に移動可能に接続されている。ガード部品は、第一部分、第二部分、及び第一部分と第二部分とを連接する中間部分を有する。中間部分は、第一端部を有する。弾性部品は、ガード部品に付勢する。ガード部品の第一端部は、端板に対応する。取り付け部品は、ラックの支持柱の孔に取り付けられている。支持柱は、少なくとも一個の取り付け部品とガード部品との間に位置する。
【００１８】
本考案の効果は下記の通りである。
（１）本考案によるブラケットにより、スライドレールアッセンブリは、容易にラック（ｒａｃｋ）に取り付くことができ、或いは容易にラックから取り外すことができる。
【００１９】
（２）本考案により、取り付けブラケットは、ラックにおいて、優れた結合安定性と堅固性を有することができる。
【図面の簡単な説明】
【００２０】
【図１】本考案の第一実施形態によるブラケットの応用状態を示す模式図である。
【図２】本考案の第一実施形態によるブラケットを示す分解斜視図である。
【図３Ａ】本考案の第一実施形態によるブラケットを示す斜視図である。
【図３Ｂ】本考案の第一実施形態によるブラケットのガード部品と弾性部品を示す模式図である。
【図４】本考案の第一実施形態によるブラケットをラックに取り付ける様子を示す模式図である。
【図５】本考案の第一実施形態によるブラケットをラックから取り外す様子を示す模式図である。
【図６】本考案の第一実施形態によるブラケットをラックから取り外す様子を示す模式図である。
【図７】本考案第二実施形態による取り付けブラケットを示す模式図である。
【図８】本考案第三実施形態による取り付けブラケットを示す模式図である。
【考案を実施するための形態】
【００２１】
本考案の実施形態によるブラケットを図面に基づいて説明する。
（第一実施形態）
本考案の第一実施形態によるブラケットを図１に示す。
【００２２】
図１に示すように、本実施形態のスライドレールアッセンブリに用いる取り付けブラケットは、ラック１０（ｒａｃｋ）、第一スライドレールアッセンブリ１２、第二スライドレールアッセンブリ１４、シャーシ１６（ｃｈａｓｓｉｓ）を備える。
【００２３】
ラック１０（ｒａｃｋ）は、第一支持柱１８、第二支持柱２０、第三支持柱２２、第四支持柱２４を備え、かつ、第一支持柱１８、第二支持柱２０、第三支持柱２２、第四支持柱２４上には、それぞれ、複数の孔２６を備える。
【００２４】
第一スライドレールアッセンブリ１２は、ラック１０（ｒａｃｋ）の第一支持柱１８と第二支持柱２０との間に連接される。
第二スライドレールアッセンブリ１４は、第三支持柱２０と第四支持柱２２との間に連接され、第一スライドレールアッセンブリ１２に平行に対応する。
シャーシ１６（ｃｈａｓｓｉｓ）は、第一スライドレールアッセンブリ１２と第二スライドレールアッセンブリ１４との間に取り付けられる。
第一スライドレールアッセンブリ１２と第二スライドレールアッセンブリ１４は、相同の形態で、対称に設置され、それぞれ、第一レール２８、第二レール３０、第三レール３２、第一ブラケット３４、第二ブラケット３６を備える。
【００２５】
下記では、第二スライドレールアッセンブリ１４を例として説明する。
第一レール２８は、第一端３８及び第二端４０を備える。第二端４０は、第一端３８に対応する。第二レール３０は、第一レール２８にスライド可能に連接する。第三レール３２は、第二レール３０にスライド可能に連接する。
【００２６】
第一ブラケット３４は、隣接する第一レール２８の第一端３８に連接し、かつ、第一ブラケット３４は、ラック１０の第三支持柱２２に取り付けられる。
第二ブラケット３６は、隣接する第一レール２８の第二端４０に隣接し、かつ、第二ブラケット３６は、ラック１０の第四支持柱２４に取り付けられる。
【００２７】
図２に示すように、第一ブラケット３４はさらに、側板４２、端板４４、ガード部品４６、弾性部品４８、少なくとも一個の取り付け部品５０を備える。
【００２８】
側板４２は、上辺壁５２、下辺壁５４、及び上辺壁５２と下辺壁５４との間におおよそ垂直に連接する面部５６を備える。面部５６は、第一窓口６０、第二窓口６２を備える。
接触接続台５８は、おおよそ面部５６から突出し、かつ、突出の方向と上辺壁５２及び下辺壁５４の方向とは反対である。接触接続台５８と面部５６との間には、高度差を備える。これにより、面部５６と接触接続台５８との間には、収容空間６６を共同で形成し、かつ、接触接続台５８は、第二窓口６２に隣接する接触接続部６４を備える。
【００２９】
第一窓口６０は、側板４２の端部に近接する。端板４４は、側板４２から延伸し、第一窓口６０に隣接する。かつ、端板４４は、側板４２の面部５６に垂直に設けられている。端板４４は、少なくとも一個の定位孔６８を備える。
【００３０】
本実施形態中では、側板４２はさらに、一対の耳部６１及び一対の支持部６３を備える。
一対の耳部６１は、それぞれ、上辺壁５２と下辺壁５４から、接触接続台５８の突出方向へと延伸し、第二窓口６２の両側に隣接する。
各耳部６１は、孔６５を備え、一対の耳部６１の孔６５は、相互に対応する。
【００３１】
一対の支持部６３は、一対の耳部６１との間に設置する。
各支持部６３は、一対の耳部６１の孔６５に対応する弧状凹部６７を備え、かつ、一対の支持部６３は、第二窓口６２の周縁から延伸して突出する。
【００３２】
ガード部品４６は、第一部分７０、第二部分７２、中間部分７４を備える。中間部分７４は、第一部分７０と第二部分７２との間に連接する。第一部分７０及び第二部分７２は、相互に対称で、第一側部７６、一第二側部７８、及び第一側部７６と第二側部７８との間に連接する連接壁８０をそれぞれ、備える。第一側部７６と第二側部７８は、それぞれ、孔７７を備え、かつ、第一側部７６の孔７７と第二側部７８の孔７７は、相互に対応する。第一側部７６は、延伸セクション８２を備える。中間部分７４は、第一端部８４、及び第一端部８４に対応する第二端部８６を備える。
【００３３】
弾性部品４８は、湾曲部８８及び分岐部９０を備える。湾曲部８８は、接触接続台５８の接触接続部６４に対応する。分岐部９０は、ガード部品４６の中間部分７４の第二端部８６に対応する凹部空間９２を備える。
【００３４】
少なくとも一個の取り付け部品５０は、端板４４の定位孔６８に設置して対応する。
上述のように、さらに可動接続部品４７を、ガード部品４６の第一部分７０と第二部分７２上の第一側部７６と第二側部７８の孔７７、側板４２の耳部６１の孔６５、及び側板４２の支持部６３の弧状凹部６７に設置して対応させる。
【００３５】
第一ブラケット３４及び第二ブラケット３６の結合構造は、相同の形態であるため、ここでは第二ブラケット３６の構造について説明しない。
【００３６】
図３Ａと図３Ｂにさらに示すように、ガード部品４６は、可動接続部品４７により、ガード部品４６の第一部分７０と第二部分７２上の第一側部７６と第二側部７８の孔７７、側板４２の耳部６１の孔６５、及び側板４２の支持部６３の弧状凹部６７を通過され、側板４２に移動可能に接続される。
【００３７】
弾性部品４８の局部は、側板４２の面部５６と接触接続台５８との間の収容空間６６内に進入する。これにより、弾性部品４８の湾曲部８８は、接触接続台５８の接触接続部６４に接触し、弾性部品４８の分岐部９０は、ガード部品４６の中間部分７４の第二端部８６に接触する。
よって、ガード部品４６は、弾性部品４８が生じる弾力の作用を受け、ガード部品４６の延伸セクション８２は、側板４２の面部５６に接触する。こうして、ガード部品４６は、予定の位置に保持される。
【００３８】
少なくとも一個の取り付け部品５０は、端板４４に固定状に連接される。取り付け時には、第一ブラケット３４は、少なくとも一個の取り付け部品５０により、外から内へと、局部が第三支持柱２２の孔２６を通過して定位される。これにより、第一ブラケット３４は、第三支持柱２２に取り付けられ、ガード部品４６の中間部分７４の第一端部８４は、第三支持柱２２に対応する。
【００３９】
すなわち、取り付け時には、第一ブラケット３４のガード部品４６の中間部分７４表面８３は、先ず、第三支持柱２２に接触する。次に、力Ｆ１を加えると、ガード部品４６は、力Ｆ１により、弾性部品４８の弾力を克服し、いくらか回る。
同時に、取り付け部品５０を、第三支持柱２２の孔２６に合わせ、かつ、力Ｆ２を加えると、取り付け部品５０の局部は、孔２６を通過する。これと同時に、ガード部品４６は、第三支持柱２２との接触接続を離脱し、弾性部品４８が放出する弾力により、予定の位置を回復し、こうして第一ブラケット３４は、第三支持柱２２上に取り付けされ、定位される。
【００４０】
図４は、第一ブラケット３４を第三支持柱２２に取り付けた状態を示す。この状態下で、第一ブラケット３４の取り付け部品５０は、第三支持柱２２の孔２６を通過し、第一ブラケット３４のガード部品４６の中間部分７４の第一端部８４は、第三支持柱２２に隣接し、取り付け部品５０が第三支持柱２２のルート上から離脱しないよう阻害する。こうして、取り付け部品５０は、第一ブラケット３４のガード部品４６により、第三支持柱２２に取り付けられ、ガード部品４６により、効果的な係合を形成する。
これにより、取り付け部品５０は、第三支持柱２２から脱落することはない。
【００４１】
図５及び図６は、本考案の一実施形態による第一ブラケット３４を、第三支持柱２２から取り外す様子を示す操作模式図である。先ず、使用者は、力Ｆ３を、第一ブラケット３４のガード部品４６の中間部分７４に加え、弾性部品４８が生じる弾力を克服する。
これにより、ガード部品４６は、可動接続部品４７に相対し、ある角度の移動を行う。
好ましくは、これによりガード部品４６の中間部分７４の第一端部８４の局部は、第一窓口６０内に進入し、ガード部品４６の第三支持柱２２に対する係合状態を解除し、第一ブラケット３４の取り付け部品５０を、第三支持柱２２の孔２６から退出させられるようになり、第一ブラケット３４を第三支持柱２２から取り外すことができる。
【００４２】
図７は、本考案の第二実施形態を示す。
本実施形態中では、第一ブラケット３４のガード部品２００は、第一部分２０２と中間部分２０４だけを設置する。中間部分２０４には、辺壁２０６を増設し、これにより弾性部品４８の位置を固定する。
【００４３】
図８は、本考案の第三実施形態を示す。
実施形態中では、弾性部品３００の両端は共に湾曲部３０２で、第一ブラケット３４の接触接続台５８とガード部品４６の第二端部８６にそれぞれ、接触する。
【００４４】
上述の実施形態の説明を総合すると、本考案の操作、使用、及び本考案が生じさせる効果を充分理解することができる。但し、以上に述べた実施形態は単に本考案の好ましい実施形態であり、これによって本考案の実用新案登録請求の範囲を限定することではない。即ち本考案の実用新案登録請求の範囲及び説明書の内容に基づいて、同等効果を有する簡単な変化及び修飾は、全て、本考案の範囲内に属するものとする。
【符号の説明】
【００４５】
１０  ラック、
１２  第一スライドレールアッセンブリ、
１４  第二スライドレールアッセンブリ、
１６  シャーシ、
１８  第一支持柱、
２０  第二支持柱、
２２  第三支持柱、
２４  第四支持柱、
２６  孔、
２８  第一レール、
３０  第二レール、
３２  第三レール、
３４  第一ブラケット、
３６  第二ブラケット、
３８  第一端、
４０  第二端、
４２  側板、
４４  端板、
４６  ガード部品、
４７  可動接続部品、
４８  弾性部品、
５０  取り付け部品、
５２  上側壁、
５４  下側壁、
５６  面部、
５８  接触接続台、
６０  第一窓口、
６１  耳部、
６２  第二窓口、
６３  支持部、
６４  接触接続部、
６５  孔、
６６  収容空間、
６７  弧状凹部、
６８  定位孔、
７０  第一部分、
７２  第二部分、
７４  中間部分、
７６  第一側壁、
７７  孔、
７８  第二側壁、
８０  連接壁、
８２  延伸セクション、
８３  表面、
８４  第一端部、
８６  第二端部、
８８  湾曲部、
９０  分岐部、
９２  凹部空間、
２００  ガード部品、
２０２  第一部分、
２０４  中間部分、
２０６  辺壁、
３００  弾性部品、
３０２  湾曲部。
【図１】
0003187606.tif 000003
【図２】
0003187606.tif 000004
【図３Ａ】
0003187606.tif 000005
【図３Ｂ】
0003187606.tif 000006
【図４】
0003187606.tif 000007
【図５】
0003187606.tif 000008
【図６】
0003187606.tif 000009
【図７】
0003187606.tif 000010
【図８】
0003187606.tif 000011